(57)【要約】【課題】デザイン性を向上すると共に、サイドカバーの取り付け・取り外しを簡単に行うことができ、さらに筐体の裏側からロックすることができるデスクトップコンピュータを提供する。【解決手段】  コンピュータ１００は、側面１２より筐体１０を貫通するエアインテーク１３を有し、このエアインテーク１３の側面と天面に、外部空気を導入するための複数の吸気孔１４Ａ，１４Ｂが設けられる。また、Ｌ型に形成され、筐体の側面のエアインテーク１３の底面以下の部分を覆うサイドカバー１２Ａを有し、このサイドカバー１２Ａの短辺は、エアインテーク１３の底面と同一平面に配置され、この短辺側に、サイドカバー１２Ａをオープンするためのオープンボタン４が設けられ、サイドカバー１２Ａの長辺に、オープンボタン４に連動するフックが設けられると共に、オープンボタン４に連動するロック部材が設けられる。【選択図】        図１
2005322001.tif 000002
【特許請求の範囲】
【請求項１】
各種の回路基板、電源供給部及び各種のドライブが筐体の内部に配置されたデスクトップコンピュータにおいて、
壁に外部空気を上記筐体の内部に導入するための複数の吸気孔が設けられ、上記筐体の側面より該筐体を貫通し、所定断面積を有する貫通部と、
短辺と長辺を有するＬ形に形成され、上記筐体の側面の上記貫通部の底面以下の部分を覆うサイドカバーとを備え、
上記サイドカバーの短辺は、上記貫通部の底面と同一平面に配置され、この短辺に、上記サイドカバーをオープンするためのオープン手段が設けられ、
上記サイドカバーの長辺に、上記オープン手段に連動するフック部材が設けられると共に、上記サイドカバーの長辺の上記筐体の裏側に上記オープン手段に連動するロック部材が設けられる
ことを特徴とするデスクトップコンピュータ。
【請求項２】
上記オープン手段は、押しタイプのオープンボタンである
ことを特徴とする請求項１に記載のデスクトップコンピュータ。
【請求項３】
上記サイドカバーの開きを制限するロック手段をさらに備え、
上記ロック手段により上記サイドカバーは上記筐体の裏側からロック可能である
ことを特徴とする請求項１に記載のデスクトップコンピュータ。
【請求項４】
上記ロック部材は、ケンジントンロック用穴を有し、
上記サイドカバーはケンジントンロックを用いて上記筐体の裏側からロック可能である
ことを特徴とする請求項１に記載のデスクトップコンピュータ。
【請求項５】
各種の回路基板、電源供給部及び各種のドライブが筐体の内部に配置されたデスクトップコンピュータにおいて、
短辺と長辺を有するＬ型に形成され、上記筐体の側面を覆うサイドカバーとを備え、
上記サイドカバーの短辺は、上記筐体の上面カバーと同一平面に配置され、この短辺側に、上記サイドカバーをオープンするためのオープン手段が設けられ、
上記サイドカバーの長辺に、上記オープン手段に連動するフック部材が設けられると共に、上記サイドカバーの長辺の上記筐体の裏側に上記オープン手段に連動するロック部材が設けられる
ことを特徴とするデスクトップコンピュータ。
【請求項６】
上記サイドカバーの開きを制限するロック手段をさらに備え、
上記ロック手段により上記サイドカバーは上記裏側からロック可能である
ことを特徴とする請求項５に記載のデスクトップコンピュータ。
【請求項７】
上記ロック部材は、ケンジントンロック用穴を有し、
上記サイドカバーはケンジントンロックを用いて上記裏側からロック可能である
ことを特徴とする請求項５に記載のデスクトップコンピュータ。
【請求項８】
上記サイドカバーの短辺に、オープン手段を配置するための凹部が設けられ、
上記オープン手段は、上記サイドカバーの短辺の表面から突出しないように上記凹部に配置される
ことを特徴とする請求項５に記載のデスクトップコンピュータ。
【発明の詳細な説明】
【技術分野】
【０００１】
この発明は、オープン手段とロック手段をそれぞれ筐体の側面と背面に配置されるサイドカバーを有するデスクトップコンピュータに関する。詳しくは、短辺と長辺を有するＬ形に形成され、筐体に設けられた貫通部の底面以下の部分、または側面全体を覆うサイドカバーを有し、このサイドカバーの短辺は、貫通部の底面または筐体の上面カバーと同一平面に配置され、この短辺側に、サイドカバーをオープンするためのオープン手段が設けられ、サイドカバーの長辺に、オープン手段に連動するフック部材が設けられると共に、サイドカバーの長辺の筐体の裏側にオープン手段に連動するロック部材が設けられる構成とすることによって、デザイン性を向上すると共に、サイドカバーの取り付け・取り外しを簡単に行うことができ、さらに筐体の裏側からロックすることができるようにしたデスクトップコンピュータに係るものである。
【背景技術】
【０００２】
近年コンピュータ、特にパーソナルコンピュータの性能向上は著しく、それに対応して特にプロセッサ（以下、ＣＰＵという。）からの発熱量が大きくなっている。そのため、動作の安定を保つために、ＣＰＵ等により発生する大きな熱量を外部へ速やかに放出するための冷却システムが非常に重要になってきた。
【０００３】
コンピュータの冷却には、電熱パッド、ヒートシンク、ヒートパイプ、冷却ファン等が単独又は組み合わせて使用されている。従来、発熱量の大きい高性能コンピュータの場合、特にデスクトップ型コンピュータの場合には、本体内部の最も発熱量の大きいＣＰＵを軸流ファンまたはフラットファンで直接冷却することが普通である。軸流ファンでＣＰＵを直接冷却するためには、その中間にヒートシンクが配置されている。この場合、冷却用空気をコンピュータ内部に取り入れるために、筐体前面または側面に大量の吸気孔が設けられる。
【０００４】
冷却効果を改善するために、横流ファンを用いたコンピュータの冷却装置が提案されている（例えば、特許文献１参照）。
【０００５】
この場合、ＣＰＵを直接冷却する軸流ファンまたはフラットファン以外に、マザーボードに取り付けられた発熱部材に対して直接吐出風を当てうるだけの十分な幅の吐出風を持つ横流ファンを設け、この横流ファンによって、吐出風を発熱部材に直接またはその近傍に吹き付けて、その周辺の空気の入れ替わりを促進し、マザーボードの近傍に熱気が滞留しないようにする。また、外気を導入するために、コンピュータ筐体の側面パネルに多数の吸気孔が設けられる。
【０００６】
また、メモリなどの増設の際に、カバーの取り付け・取り外しを行う必要があるので、取り付け・取り外し容易なカバー構造が要求されている。
【０００７】
従来、カバーの両側の側板部の間隔を強制的に広げる作業を発生させることなく、カバーの取り付け・取り外しをできるパーソナルコンピュータ等の筐体構造が提案されている（例えば、特許文献２参照）。
【０００８】
この場合、上板部と両側の側板部とを形成したカバーと、本体とからなり、カバーを本体に被せてビス止めするパーソナルコンピュータ等の筐体構造において、カバー両側の側板部の縁部と本体の両側の縁部のうちの一方に小さい爪部、他方に小溝を形成し、カバー両側の側板部の間隔を原状にしたままカバーを本体に被せ、カバーを本体に対して移動させると、爪部が小溝に入り込んでから小溝の開口縁に引っ掛かる関係にしたものである。
【０００９】
カバーを本体から取り外す場合には、まず止め用ビスを外して、カバーを本体に対して後方へ移動させて、爪部と小凹部との引っ掛かりを解除してから、カバーをそのまま真っ直ぐ持ち上げると、取り外すことができる。
【００１０】
また、従来コンピュータ本体の盗難を防止するために、本体背面に設けられたロック穴でケンジントンロックを用いてロックする方法が一般的に使用されている。カバーのロックには、止め用ビスを用いる以外に図１１に示すようなオープンボタン／レバーを直接ロックする機構があった。
【００１１】
【特許文献１】特開２００３−３０６１８６号公報（第２，３頁、第１図）
【特許文献２】特開２０００−１２４６２８号公報（第２，３頁、第２図）
【発明の開示】
【発明が解決しようとする課題】
【００１２】
上述したように、コンピュータのスペックアップに伴う発熱の問題は、年々深刻になっている。従来の冷却方法（特許文献１）を引き続き採用する場合、十分に冷却することができない。また、冷却用空気をコンピュータ内部に取り入れるために、筐体前面または側面に大量の吸気孔が設けられるため、意匠的に審美性を損ねる欠点があった。
【００１３】
また、特許文献２の場合、メモリなどの増設の際に、カバーの取り付け・取り外しを行う際に、カバーの両側の側板部の間隔を強制的に広げる作業を発生させることなく、カバーの取り付け・取り外しをできるが、カバーの取り付け・取り外しを行う際に、止め用ビスを外すために、ドライバーを使用する必要であり、また、コンピュータ本体の後方へカバーを移動させるため、後ろに回り込む必要となり、操作上の不都合があった。
【００１４】
また、従来のようなオープンボタン／レバーのものを用いる場合、コンピュータ本体と共に内部部品の盗難を防止するために、ケンジントンロックを使用することができないという欠点があった。しかも本体側面の目立つ位置にロック機構を配置することは意匠的に審美性を損ねる欠点があった。
【００１５】
そこで、この発明は、デザイン性を向上すると共に、サイドカバーの取り付け・取り外しを簡単に行うことができ、さらに筐体の裏側からロックすることができるようにしたデスクトップコンピュータを提供することを目的とする。
【課題を解決するための手段】
【００１６】
この発明に係るデスクトップコンピュータは、各種の回路基板、電源供給部及び各種のドライブが筐体の内部に配置されたデスクトップコンピュータにおいて、壁に外部空気を筐体の内部に導入するための複数の吸気孔が設けられ、筐体の側面より該筐体を貫通し、所定断面積を有する貫通部と、短辺と長辺を有するＬ形に形成され、筐体の側面の貫通部の底面以下の部分を覆うサイドカバーとを備え、サイドカバーの短辺は、貫通部の底面と同一平面に配置され、この短辺に、サイドカバーをオープンするためのオープン手段が設けられ、サイドカバーの長辺に、オープン手段に連動するフック部材が設けられると共に、サイドカバーの長辺の筐体の裏側にオープン手段に連動するロック部材が設けられるものである。
【００１７】
例えば、オープン手段は、押しタイプのオープンボタンである。また、サイドカバーの開きを制限するロック手段をさらに備え、このロック手段によりサイドカバーは筐体の裏側からロック可能である。また、ロック部材は、ケンジントンロック用穴を有し、サイドカバーはケンジントンロックを用いて筐体の裏側からロック可能である。
【００１８】
また、この発明に係るデスクトップコンピュータは、各種の回路基板、電源供給部及び各種のドライブが筐体の内部に配置されたデスクトップコンピュータにおいて、短辺と長辺を有するＬ型に形成され、筐体の側面を覆うサイドカバーとを備え、サイドカバーの短辺は、筐体の上面カバーと同一平面に配置され、この短辺側に、サイドカバーをオープンするためのオープン手段が設けられ、サイドカバーの長辺に、オープン手段に連動するフック部材が設けられると共に、サイドカバーの長辺の筐体の裏側にオープン手段に連動するロック部材が設けられるものである。
【００１９】
例えば、サイドカバーの開きを制限するロック手段をさらに備え、このロック手段によりサイドカバーは筐体の裏側からロック可能である。また、ロック部材は、ケンジントンロック用穴を有し、サイドカバーはケンジントンロックを用いて筐体の裏側からロック可能である
この発明においては、デスクトップコンピュータの筐体の側面より該筐体を貫通し、所定断面積を有する貫通部を設けることで、デスクトップコンピュータの筐体の前面または側面のパネルに冷却用空気を導入するための吸気孔を配置せずに、吸気面積を確保でき、また直接に見えないところに吸気孔を設けるため、デザイン性を向上することが可能となる。
【００２０】
また、Ｌ型に形成され、筐体の側面の貫通部の底面以下の部分、または該側面全体を覆うサイドカバーを有し、このサイドカバーの短辺は、筐体の貫通部の底面または筐体の上面カバーと同一平面に配置され、この短辺側に、サイドカバーをオープンするためのオープン手段が設けられ、サイドカバーの長辺に、オープン手段に連動するフック部材が設けられると共に、サイドカバーの長辺の筐体の裏側にオープン手段に連動するロック部材が設けられる。
【００２１】
これにより、デザイン性を向上すると共に、メモリなどの増設等を行う際に、サイドカバーの取り付け・取り外しを簡単に行うことができ、さらにケンジントンロックを用いて筐体の裏側からロックすることでコンピュータ本体または内部部品の不当な携行（盗難）を防止することが可能となる。
【発明の効果】
【００２２】
この発明に係るデスクトップコンピュータによれば、短辺と長辺を有するＬ型に形成され、筐体の貫通部の底面以下の部分、または側面全体を覆うサイドカバーを有し、このサイドカバーの短辺は、筐体の貫通部の底面または筐体の上面カバーと同一平面に配置され、この短辺側に、サイドカバーをオープンするためのオープン手段が設けられ、サイドカバーの長辺に、オープン手段に連動するフック部材が設けられると共に、サイドカバーの長辺の筐体の裏側にオープン手段に連動するロック部材が設けられるものであり、デザイン性を向上すると共に、サイドカバーの取り付け・取り外しを簡単に行うことができ、さらに筐体の裏側からロックすることができる。
【発明を実施するための最良の形態】
【００２３】
以下、図面を参照しながら、この発明の実施の形態のデスクトップコンピュータ（以下、コンピュータという。）について説明する。
【００２４】
図１は、本発明の実施の形態のコンピュータ１００の外形を示す図である。コンピュータ１００は、壁に外部空気を筐体１０の内部に導入するための複数の吸気孔が設けられる貫通部と、短辺と長辺を有するＬ形に形成され、筐体の側面の貫通部の底面以下の部分を覆うサイドカバーとを備えるデスクトップコンピュータである。
【００２５】
図１に示すように、コンピュータ１００の筐体１０において、側面パネル１２の所定位置に貫通部としてのエアインテーク１３が設けられている。このエアインテーク１３は、矩形断面を有し、側面および天面に外部空気を筐体１０の内部に導入するための複数の吸気孔１４Ａ，１４Ｂが設けられている。また、フロントパネル１１側から見た左側に、短辺と長辺を有するＬ形に形成され、筐体の側面のエアインテーク１３の底面以下の部分を覆うサイドカバー１２Ａが設けられている。このサイドカバー１２Ａの短辺側にオープンボタン４が設けられる。
【００２６】
図２は、エアインテークの吸気孔の配置位置を示す図である。この図２は、エアインテーク１３部の断面図である。図２（ａ）は、コンピュータ１００の側面図である。図２（ｂ）は、エアインテーク１３の水平断面（Ａ−Ａ’断面）図である。図２（ｃ）は、エアインテーク１３の垂直断面（Ｂ−Ｂ’断面）図である。
【００２７】
図２（ｂ）に示すように、エアインテーク１３の天面１３Ｂには、外部空気を筐体１０の内部に導入するための複数の吸気孔１４Ｂが設けられている。また、図２（ｃ）に示すように、エアインテーク１３の両側面１３Ａには、外部空気を筐体１０の内部に導入するための複数の吸気孔１４Ａが設けられている。この例の場合、吸気孔１４Ａは、複数の長孔であり、吸気孔１４Ｂは、複数の丸孔である。これにより、コンピュータ１００のフロントパネル１１または側面パネル１２に冷却用空気を導入するための吸気孔を配置せずに、吸気面積を確保できる。また吸気孔１４Ａ，１４Ｂは、直接見えない場所に設けられている。なお、図２に示すように、デザイン面の効果を向上するために、エアインテーク１３は側面パネル１２側に開口が広がる形状にされている。また、エアインテーク１３は、吸気孔の配置、吸気面積を確保できるように所定の断面積を有するようになされる。
【００２８】
図３は、本発明の実施の形態のコンピュータ１００の構成例を示す断面図である。図３中の矢印は、冷却用空気の流れを示している。
【００２９】
図３に示すように、コンピュータ１００は、エアインテーク１３と、プロセッサとしてのＣＰＵ２１を設けられたマザーボード２０と、ヒートシンク２２と、ヒートパイプ２３と、冷却ファン２４と、ハードディスク（ＨＤＤ）２５と、電源ユニット２６と、グラフィックボード２７と、オプティカルドライブ２８，２９と、フロッピー（登録商標）ドライブ３０と、シャーシ３１とから構成される。
【００３０】
筐体１０は、シャーシ３１により上下２つの空間（１０Ａ，１０Ｂ）に分割される。また、シャーシ３１の上にエアインテーク１３が設けられている。
【００３１】
また、シャーシ３１は、一端が筐体１０のフロントパネル１１に固定され、他端は筐体１０の背面１５に固定される。このシャーシ３１のフロントパネル１１側に、上部空間１０Ａと下部空間１０Ｂを連結する貫通穴３１Ａが設けられている。
【００３２】
上部空間１０Ａには、ヒートシンク２２と、冷却ファン２４と、オプティカルドライブ２８，２９とが配置されている。ヒートシンク２２とエアインテーク１３との間に冷却ファン２４が配置されている。冷却ファン２４は、エアインテーク１３の側面１３Ａおよび天面１３Ｂに設けられた吸気孔１４Ａおよび１４Ｂから外部空気を吸入することができる。室温と同じ温度の空気が冷却ファン２４に直接に供給される。
【００３３】
また、ヒートシンク２２と冷却ファン２４を上部空間１０Ａに配置することで、筐体１０の横幅が最大まで使用し、ヒートシンク２２と冷却ファン２４がサイズの大きいものが採用される。特に、冷却ファン２４に大きいサイズ（例えば、１２０ｍｍ）のファンが用いられる、そのため、冷却ファン２４の騒音を低減することができる。
【００３４】
また、下部空間１０Ｂには、マザーボード２０と、ハードディスク２５と、電源ユニット２６と、グラフィックボード２７と、フロッピー（登録商標）ドライブ３０とが配置されている。なお、フロッピー（登録商標）ドライブ３０の位置に、他のハードディスクを増設してもよい。ＣＰＵ２１とヒートシンク２２は、ヒートパイプ２３により熱的に接続される。これにより、ＣＰＵ２１が発生した熱がヒートパイプ２３を介してヒートシンク２２に伝導される。また、ヒートシンク２２に運ばれた熱は冷却ファン２４で冷却するようになされる。この場合、廃熱空気は筐体１０の背面１５にある排気口から排出される。
【００３５】
図３に示すように、コンピュータ１００が動作する際に、冷却ファン２４によりエアインテーク１３の裏側の側面１３Ａおよび天面１３Ｂから冷却用空気を吸入する。また、電源ユニット２６に付属するファン２６Ｆにより、エアインテーク１３の前側の側面１３Ａから冷却用空気を吸入し、シャーシ３１に設けられた貫通孔３１Ａを通して下部空間１０Ｂに導入する。そして、筐体１０の背面１５にある排気口から排出される。これにより、下部空間１０Ｂに冷却用空気が容易に導入可能である。また、この冷却用空気により下部空間１０Ｂに配置されたハードディスク２５、電源ユニット２６、グラフィックボード２７等部品を冷却することができる。
【００３６】
図４は、サイドカバーの構成を示す斜視図である。この図４は、サイドカバー１２Ａを取り外し、内側から見た図である。図４に示すように、サイドカバー１２Ａは、外側のＬ形表面パネル１と、カバーシャーシ２と、プレート３と、オープンボタン４とから構成されている。
【００３７】
Ｌ形表面パネル１は、サイドカバー１２Ａの外側に配置される。このＬ形表面パネル１の片側には、ロック用穴を有するロック部材５が設けられている。このロック部材５のロック用穴は、ケンジントンロック用穴である。また、Ｌ形表面パネル１には、底辺を固定するための複数のフック７が設けられている。
【００３８】
また、カバーシャーシ２は、サイドカバー１２Ａの内側に配置される。プレート３は、Ｌ形表面パネル１とカバーシャーシ２との間に配置されている。このプレート３には、筐体１０側の対応する位置に配置された穴に差し込む複数のフック６が設けられている。また、プレート３には、Ｌ形表面パネル１のロック部材５と対応する位置にロック用穴を有するロック部材８が設けられている。このロック部材８のロック用穴は、ケンジントンロック用穴である。
【００３９】
図５は、Ｌ形表面パネル１の構成例を示す図である。図５（ａ）は、Ｌ形表面パネル１を上から見た図である。図５（ｂ）は、Ｌ形表面パネル１の断面図である。図５（ｃ）は、Ａ方向から見た図である。
【００４０】
図５（ａ）に示すように、Ｌ形表面パネル１の短辺は、エアインテーク１３の開口が広がる形状に合わせてほぼ三角形に形成される。その中央部のパネル表面側に半円形オープンボタン用穴が設けられている。図５（ｂ）に示すように、Ｌ形表面パネル１の長辺の下部にフック７が設けられている。サイドカバー１２Ａを本体に取り付ける際に、このフック７が筐体１０のシャーシに差し込むことによりサイドカバー１２Ａの底辺を固定する。図５（ｃ）に示すように、Ｌ形表面パネル１の筐体１０の背面１５に対応する方にロック部材５が設けられている。
【００４１】
図６は、プレート３の構成例を示す図である。図６（ａ）は、プレート３の平面図である。図６（ａ）に示すように、プレート３に複数の切り抜き部が設けられている。図６（ｂ）は、Ｂ方向から見た図である。また、図６（ｃ）は、Ｃ方向から見た図である。図６（ｂ），（ｃ）に示すように、プレート３の両側にそれぞれ３つのフックが設けられている。また、図６（ｃ）に示すように、プレート３には、ロック部材８が設けられている。なお、プレート３の上端のほぼ中央部にサイドカバー１２Ａの上端を固定するためのフック９が設けられている。
【００４２】
図７は、サイドカバー１２Ａのロック部の動作状態を示す図である。図７（ａ）は、オープンボタン４を押していない状態を示している。この場合、ロック部材５のロック用穴とロック部材８のロック用穴とは同一水平位置にある。図７（ｂ）は、オープンボタン４を押した状態を示している。この場合、プレート３のロック部材８は下方へ所定距離だけ移動するため、ロック部材５のロック用穴とロック部材８のロック用穴とは異なる水平位置になっている。このような構成により、ロック用穴にロック手段としてのロック用ピンなどを差し込むことでロックすることができる。
【００４３】
図８は、コンピュータ１００の背面１５の構成例を示す図である。図８に示すように、背面１５の右側、即ちサイドカバー１２Ａが装着される側にロック用穴１５Ａが設けられている。このロック用穴１５Ａはサイドカバー１２Ａのロック部に対応する位置とされる。またロック用穴１５Ａはケンジントンロック用穴である。
【００４４】
このような構成により、ケンジントンロックなどを用いてコンピュータ１００の本体とサイドカバー１２Ａと一緒にロックすることができる。
【００４５】
サイドカバー１２Ａを本体から取り外す場合、図９に示すように、サイドカバー１２Ａに設けられているオープンボタン４を押すことで、サイドカバー１２Ａ内部のフック６およびフック９が本体から外される。そして、図９（ｂ）に示すように、矢印に示す方向へサイドカバー１２Ａを移動することで、本体から取り外すことができる。
【００４６】
一方、サイドカバー１２Ａを本体へ取り付ける場合、サイドカバー１２Ａの下部のフック７を本体シャーシに差し込む。そして、オープンボタン４を押しながらサイドカバー１２Ａの上端を本体側へ押し込むことで、サイドカバー１２Ａを取り付けることができる。
【００４７】
このように本実施の形態においては、コンピュータ１００は、筐体１０の側面１２より筐体１０を貫通し、所定断面積のエアインテーク１３を有し、このエアインテーク１３の側面１３Ａと天面１３Ｂに、外部空気を導入するための複数の吸気孔１４Ａ，１４Ｂが設けられる。また、筐体１０の側面のエアインテーク１３の底面以下の部分を覆うサイドカバー１２Ａを有し、このサイドカバー１２Ａの短辺は、エアインテーク１３の底面と同一平面に配置され、この短辺側に、サイドカバー１２Ａをオープンするためのオープンボタン４が設けられ、サイドカバー１２Ａの長辺に、オープンボタン４に連動するフック６，９が設けられると共に、オープンボタン４に連動するロック部材５，８が設けられる。
【００４８】
これにより、コンピュータ１００の筐体１０の前面または側面パネルに冷却用空気を導入するための吸気孔を配置せずに、吸気面積を確保でき、また直接に見えないところに吸気孔１４Ａ，１４Ｂを設けるため、デザイン性を向上することができる。また、エアインテーク１３を冷却が必要とする部品の近くに設けることで、直接外気を取り入れ冷却に使用することができるため、効率的な冷却ができる。
【００４９】
その結果、デザイン性を向上すると共に、メモリなどの増設等を行う際に、サイドカバーの取り付け・取り外しを簡単に行うことができ、さらにケンジントンロックを用いて筐体の裏側からロックすることでコンピュータ本体または内部部品の不当な携行（盗難）を防止するができる。
【００５０】
図１０は、本発明の第２の実施の形態のコンピュータ２００の外形を示す図である。コンピュータ２００は、エアインテーク（貫通部）１３を設けずに、従来のフロントパネルまたは側面パネルに吸気孔が設けられるコンピュータの例である。この場合、図１０に示すように、サイドカバー１２Ａ’は筐体１０の側面全体を覆うものである。
【００５１】
サイドカバー１２Ａ’の構成は、長辺を長くした以外に、上述したサイドカバー１２Ａと同じ構成を有している。その詳細説明を省略する。
【００５２】
また、図１０に示すように、サイドカバー１２Ａ’の短辺は筐体１０の上面と同一平面になるようになされる。このサイドカバー１２Ａ’の短辺に、オープンボタン４を配置するための凹部が設けられ、オープンボタン４は、サイドカバー１２Ａ’の短辺の表面から突出しないように凹部に配置される。これにより、サイドカバー１２Ａ’の誤動作を減少することができる。
【００５３】
このように本実施の形態においては、コンピュータ２００は、Ｌ型に形成され、筐体の側面を覆うサイドカバー１２Ａ’を有し、このサイドカバー１２Ａ’の短辺は、筐体１０の上面と同一平面に配置され、この短辺側に、サイドカバー１２Ａ’をオープンするためのオープンボタン４が設けられ、サイドカバー１２Ａ’の長辺に、オープンボタン４に連動するフックが設けられると共に、オープンボタン４に連動するロック部材が設けられる。
【００５４】
これにより、デザイン性を向上すると共に、メモリなどの増設等を行う際に、サイドカバーの取り付け・取り外しを簡単に行うことができ、さらにケンジントンロックを用いて筐体の裏側からロックすることでコンピュータ本体または内部部品の不当な携行（盗難）を防止するができる。
【００５５】
なお、上述第１の実施の形態においては、コンピュータ１００には、サイドカバー１２Ａをオープンするオープン手段として半円形押しタイプのオープンボタン４が設けられたものについて説明したが、これに限定されるものではない。オープン手段として他のタイプのものを用いてもよい。
【００５６】
また、上述実施の形態においては、サイドカバー１２Ａおよびサイドカバー１２Ａ’の短辺側の形状は、限定されるものではない。
【産業上の利用可能性】
【００５７】
以上のように、この発明に係るデスクトップコンピュータは、デスクトップコンピュータの冷却システムの高効率化、およびデスクトップコンピュータのデザイン性と静音性を向上し、サイドカバーの取り付け・取り外しを簡単にする目的に適用できる。
【図面の簡単な説明】
【００５８】
【図１】第１の実施の形態のコンピュータ１００の外形を示す図である。
【図２】エアインテークの吸気孔の配置位置を示す図である。
【図３】コンピュータ１００の構成例を示す断面図である。
【図４】サイドパネルの構成例を示す図である。
【図５】Ｌ形表面パネルの構成例を示す図である。
【図６】プレートの構成例を示す図である。
【図７】サイドカバー１２Ａのロック部の動作状態を示す図である。
【図８】コンピュータ１００の背面１５の構成例を示す図である。
【図９】サイドカバー１２Ａを本体から取り外す状態を示す図である。
【図１０】第２の実施の形態のコンピュータ２００の構成例を示す図である。
【図１１】従来のロック構造を示す図である。
【符号の説明】
【００５９】
１・・・Ｌ形表面パネル、２・・・カバーシャーシ、３・・・プレート、４・・・オープンボタン、５，８・・・ロック部材、６，７，９・・・フック、１０・・・筐体、１１・・・フロントパネル、１２・・・側面パネル、１２Ａ，１２Ａ’・・・サイドパネル、１３・・・エアインテーク、１３Ａ，１６Ａ・・・側面、１３Ｂ，１６Ｂ・・・天面、吸気孔、１４Ａ，１４Ｂ・・・吸気孔、１５・・・背面、２０・・・マザーボード、２１・・・ＣＰＵ、２２・・・ヒートシンク、２３・・・ヒートパイプ、２４・・・冷却ファン、２５・・・ハードディスク、２６・・・電源ユニット、２６Ｆ・・・ファン、２７・・・グラフィックボード、２８，２９・・・オプティカルドライブ、３０・・・フロッピー（登録商標）ドライブ、３１・・・シャーシ、３１Ａ・・・貫通穴、１００，２００・・・コンピュータ
【図１】
2005322001.tif 000003
【図２】
2005322001.tif 000004
【図３】
2005322001.tif 000005
【図４】
2005322001.tif 000006
【図５】
2005322001.tif 000007
【図６】
2005322001.tif 000008
【図７】
2005322001.tif 000009
【図８】
2005322001.tif 000010
【図９】
2005322001.tif 000011
【図１０】
2005322001.tif 000012
【図１１】
2005322001.tif 000013